(57)【要約】      （修正有）【課題】ソフトウェアのＵＩが変更され新機能を呼び出すＵＩ部品が追加された場合に、ＵＩ部品を強調表示しつつ強調表示の目障り感を低減することが出来る情報処理装置および情報処理プログラムを提供する。【解決手段】自装置に新しく追加された新機能を呼び出すＵＩ部品が強調表示される表示部１６と、前記ＵＩ部品が表示された回数に応じて定まる認知度ポイントが前記新機能ごとの組として記録される認知度ポイントテーブル１７ａと、前記ＵＩ部品が表示される度に、前記ＵＩ部品に対応する前記認知度ポイントを特定の値だけ増加させ、前記認知度ポイントに応じて前記ＵＩ部品の強調表示度合いを減じる強調制御部１１ａとを備える。【選択図】図２
2017062649.tif 000002
【特許請求の範囲】
【請求項１】
自装置に新しく追加された新機能を呼び出すＵＩ部品が強調表示される表示部と、
前記ＵＩ部品が表示された回数に応じて定まる認知度ポイントが前記新機能ごとの組として記録される認知度ポイントテーブルと、
前記ＵＩ部品が表示される度に、前記ＵＩ部品に対応する前記認知度ポイントを特定の値だけ増加させ、
前記認知度ポイントに応じて前記ＵＩ部品の強調表示度合いを減じる
強調制御部と
を備えた情報処理装置。
【請求項２】
請求項１に記載の情報処理装置であって、
前記認知度ポイントは、
前記ＵＩ部品が表示された回数に加えて前記新機能が利用された利用回数に応じて定まり、
前記認知度ポイントテーブルには、
前記認知度ポイントおよび前記新機能が利用された利用回数が前記新機能ごとの組として記録され、
前記強調制御部は、
前記ＵＩ部品が表示される度に、前記ＵＩ部品に対応する前記認知度ポイントを、前記特定の値に加えて、前記ＵＩ部品に対応する前記利用回数分増加させ、
前記新機能が利用される度に、前記新機能に対応する前記利用回数を１増加させる
情報処理装置。
【請求項３】
自装置に新しく追加された新機能を呼び出すＵＩ部品が表示される表示部に、前記ＵＩ部品が表示された回数に応じて定まる認知度ポイントが前記新機能ごとの組として記録される認知度ポイントテーブルを用いて、前記ＵＩ部品が表示される度に、前記ＵＩ部品に対応する前記認知度ポイントを特定の値だけ増加させ、前記認知度ポイントに応じて前記ＵＩ部品の強調表示度合いを減じる強調制御部として
コンピューターを機能させる情報処理プログラム。
【発明の詳細な説明】
【技術分野】
【０００１】
本発明は、ソフトウェアのバージョンアップに伴って変更されたＵＩ（User Interface）への習熟を支援する情報処理装置および情報処理プログラムに関する。
【背景技術】
【０００２】
従来、ユーザーが複雑なＵＩを使用することには困難が伴うため、ＵＩをユーザーに使いやすいようにカスタマイズすることが行われてきた。
【０００３】
例えば、特許文献１において開示されている技術では、ログインしたユーザーに使用権限がある機能のアイコンのみを操作画面に表示したり、ユーザーの使用頻度の高い機能のアイコンを優先的に画面に表示したり、アイコンを大きな機能のくくりで分類して表示したりしている。
【０００４】
また、特許文献２の技術では、入力装置に表示される複数のボタンに、作業対象となるファイルやファイルを扱うためのアプリケーションソフトウェアを割り付け、ボタンの押下頻度に応じて、ボタンが含まれるグループやその中のホタンの表示順序を変更する。
【０００５】
また、特許文献３の技術では、プルダウンメニュー内の項目を、選択される頻度に応じて、その項目を表示する輝度を調整したり、フォントを変更したり、フォントサイズを変更したり、表示順序を変更したりして使いやすくする。
【先行技術文献】
【特許文献】
【０００６】
【特許文献１】特開２０１１−７７６５５号公報
【特許文献２】特開２００７−１６４４０５号公報
【特許文献３】特開平９−２９２９６６号公報
【発明の概要】
【発明が解決しようとする課題】
【０００７】
従来、ユーザーが操作するソフトウェアのバージョンアップに伴って、新しい機能を呼び出すアイコン等のＵＩ（User Interface）部品が追加されることがあった。
その場合、ユーザーは新しく追加された機能の存在を認知しておらず、せっかく追加された新機能が使われないことがあった。
【０００８】
以上のような事情に鑑み、本発明の目的は、ソフトウェアのＵＩが変更され新機能を呼び出すＵＩ部品が追加された場合に、ＵＩ部品を強調表示しつつ強調表示の目障り感を低減することが出来る情報処理装置および情報処理プログラムを提供することにある。
【課題を解決するための手段】
【０００９】
上記目的を達成するため、本発明の一形態に係る情報処理装置は、自装置に新しく追加された新機能を呼び出すＵＩ部品が強調表示される表示部と、前記ＵＩ部品が表示された回数に応じて定まる認知度ポイントが前記新機能ごとの組として記録される認知度ポイントテーブルと、前記ＵＩ部品が表示される度に、前記ＵＩ部品に対応する前記認知度ポイントを特定の値だけ増加させ、前記認知度ポイントに応じて前記ＵＩ部品の強調表示度合いを減じる強調制御部とを備える。そのため、ソフトウェアのＵＩが変更され新機能を呼び出すＵＩ部品が追加された場合に、ＵＩ部品を強調表示しつつ強調表示の目障り感を低減することが出来る
【００１０】
上記目的を達成するため、本発明の一形態に係る情報処理装置では、前記認知度ポイントは、前記ＵＩ部品が表示された回数に加えて前記新機能が利用された利用回数に応じて定まり、前記認知度ポイントテーブルには、前記認知度ポイントおよび前記新機能が利用された利用回数が前記新機能ごとの組として記録され、前記強調制御部は、前記ＵＩ部品が表示される度に、前記ＵＩ部品に対応する前記認知度ポイントを、前記特定の値に加えて、前記ＵＩ部品に対応する前記利用回数分増加させ、前記新機能が利用される度に、前記新機能に対応する前記利用回数を１増加させる構成でもよい。
【００１１】
上記目的を達成するため、本発明の一形態に係る情報処理プログラムは、自装置に新しく追加された新機能を呼び出すＵＩ部品が表示される表示部に、前記ＵＩ部品が表示された回数に応じて定まる認知度ポイントが前記新機能ごとの組として記録される認知度ポイントテーブルを用いて、前記ＵＩ部品が表示される度に、前記ＵＩ部品に対応する前記認知度ポイントを特定の値だけ増加させ、前記認知度ポイントに応じて前記ＵＩ部品の強調表示度合いを減じる強調制御部としてコンピューターを機能させる。
【発明の効果】
【００１２】
以上のように、本発明によれば、ソフトウェアのＵＩが変更され新機能を呼び出すＵＩ部品が追加された場合に、ＵＩ部品を強調表示しつつ強調表示の目障り感を低減することが出来る。
【図面の簡単な説明】
【００１３】
【図１】表示色の濃度（明度）と強調度合いの高低の関係を示す図である。
【図２】情報処理装置１０が一般的なコンピューターにより構成される場合の構成図である。
【図３】認知度ポイントテーブル１７ａの初期状態を示す図である。
【図４】機能１のＵＩ部品が１回表示された場合の認知度ポイントテーブル１７ａの状態を示す図である。
【図５】機能１が１回利用された場合の認知度ポイントテーブル１７ａの状態を示す図である。
【図６】機能１のＵＩ部品が更に１回表示された場合の認知度ポイントテーブル１７ａの状態を示す図である。
【図７】情報処理装置１０における強調表示調整の処理の流れについて説明するためのフローチャートである。
【発明を実施するための形態】
【００１４】
以下、図面を参照しながら、本発明の実施形態を説明する。
【００１５】
［概要］
最初に、概要を説明する。
本発明では、新機能を呼び出すＵＩ部品がユーザーに認知されやすいようにＵＩ部品を強調表示するが、認知度の向上に伴ってユーザーに目障りにならないように強調度合いを弱めていく。認知度が向上しているか否かは、新機能のＵＩ部品が表示された回数およびユーザーがそのＵＩ部品を用いて新機能を使用した回数により判断する。
【００１６】
なお、強調度合いの調整は、表示色の濃度（明度）、彩度、明るさ、色相、コントラストなどの調整により行われてもよいし、ＵＩ部品の表示形状を変化させることにより行われてもよい。
【００１７】
以下では、背景色が白色である場合に、表示色の濃度（明度）を上げて強調度合いを強める例を挙げて説明する。また、認知度を示す指標として０以上の正数である認知度ポイントを用いる。ＵＩ部品の強調表示の強調度合いは、認知度ポイントの多寡に応じて制御される。
【００１８】
図１は、表示色の濃度（明度）と強調度合いの高低の関係を示す図である。この図にあるように、強調度合いが強い場合は表示色が背景色の白色から離れた濃い色で表示され、強調度合いが弱い場合は表示色が背景色に近くなり、最も強調度合いが低く強調を行わない場合は、表示色と背景色が同じ濃さになっている。
【００１９】
図に示すように、認知度ポイントが０のとき、最も強調した表示が行われ、認知度ポイントが増加するに従い強調度合いが弱められ、認知度ポイントが１００の時、強調表示を停止する。認知度ポイントが１００を超える場合は、１００として換算する。
【００２０】
強調度合いの調整は、例えば、以下の計算式に従い行われてもよい。
【００２１】
表示色の濃度（明度）＝最大濃度（最大明度）×（１００−認知度ポイント）／１００
【００２２】
以上、概要を説明した。
【００２３】
［情報処理装置の構成］
次に、本発明の一実施形態に係る情報処理装置１０の構成について説明する。情報処理装置１０は、専用のハードウェアやソフトウェアにより構成されていてもよいし、一般的なコンピューターにより構成されてもよい。情報処理装置１０が一般的なコンピューターにより構成される場合の構成図を図２に示す。
【００２４】
同図に示すように、情報処理装置１０は、ＣＰＵ（Central Processing Unit）１１、ＲＯＭ（Read Only Memory）１２、ＲＡＭ（Random Access Memory）１３、操作入力部１４、通信部１５、表示部１６、および記憶部１７を有し、これら各ブロックがバス１８を介して接続されている。
【００２５】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００２６】
記憶部１７は、例えばＨＤＤ（Hard Disk Drive）や、フラッシュメモリー、その他の不揮発性メモリーである。記憶部１７には、ＯＳや各種アプリケーション、各種データ、認知度ポイントテーブル１７ａが記憶される。
【００２７】
認知度ポイントテーブル１７ａには、新機能を呼び出すＵＩ部品を、ＵＩ部品の認知度に応じて強調表示する度合いを制御するための認知度ポイント等が含まれている。詳細については後述する。
【００２８】
通信部１５は、外部の機器と情報のやりとりを行う為のネットワークと結ばれている。
【００２９】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００３０】
操作入力部１４は、例えばマウス等のポインティングデバイス、キーボード、タッチパネル、その他の操作装置である。
【００３１】
表示部１６は、例えば液晶ディスプレイ、ＥＬ（Electro-Luminescence）ディスプレイ、プラズマディスプレイ等である。
【００３２】
次に、ＣＰＵ１１においてプログラムが実行されることにより実現される機能ブロックについて説明する。
【００３３】
情報処理装置１０のＣＰＵ１１において実現される機能ブロックは、強調制御部１１ａである。
【００３４】
強調制御部１１ａは、認知度ポイントテーブル１７ａに格納されている、各新機能の認知度ポイントに応じて、新機能を呼び出すＵＩ部品を表示する際の強調度合いを制御する。
【００３５】
以上、情報処理装置１０の構成について説明した。
【００３６】
［認知度ポイントテーブル］
次に、認知度ポイントテーブル１７ａの詳細について説明する。図３から図６は、認知度ポイントテーブル１７ａの詳細について例を示す図である。
【００３７】
図３は、認知度ポイントテーブル１７ａの初期状態を示す図である。新機能として、機能１から機能３が挙げられている。各新機能の認知度ポイントの欄および利用回数の欄は初期値である０に設定される。
【００３８】
図４は、機能１のＵＩ部品が１回表示された場合の認知度ポイントテーブル１７ａの状態を示す図である。新機能のＵＩ部品が表示される度に、その新機能に対応する認知度ポイントが、「利用回数」＋特定の値（ここでは１）だけポイントアップされる。現在、利用回数は０なので、１だけ機能１の認知度ポイントが加算される。
【００３９】
図５は、上述の状態から、機能１が１回利用された場合の認知度ポイントテーブル１７ａの状態を示す図である。機能１の利用回数が１だけカウントアップされている。
【００４０】
図６は、上述の状態から、機能１のＵＩ部品が更に１回表示された場合の認知度ポイントテーブル１７ａの状態を示す図である。ポイントアップ前の認知度ポイントが１である状態で、利用回数（１）＋１だけポイントアップされるので認知度ポイントは３になる。
【００４１】
ポイントアップは、認知度ポイントが１００を超えるまで繰り返し行われる。
【００４２】
以上、認知度ポイントテーブル１７ａの詳細について説明した。
【００４３】
［処理の流れ］
次に、情報処理装置１０における強調表示調整の処理の流れについて説明する。図７は、情報処理装置１０における強調表示調整の処理の流れについて説明するためのフローチャートである。
【００４４】
まず、強調制御部１１ａが、認知度ポイントテーブルを初期化する（ステップＳ１）。
【００４５】
次に、強調制御部１１ａが、該当する新機能の認知度ポイントが第１のしきい値（例えば１００）を超えているか否かを判断する（ステップＳ２）。
【００４６】
第１のしきい値を超えている場合（ステップＳ２のＹ）、処理を終了する。
【００４７】
第１のしきい値を超えていない場合（ステップＳ２のＮ）、強調制御部１１ａは、新機能を呼び出すＵＩ部品が表示されたか否かを判断する（ステップＳ３）。
【００４８】
表示されていない場合（ステップＳ３のＮ）、ステップＳ２の処理に戻る。
【００４９】
表示された場合（ステップＳ３のＹ）、強調制御部１１ａは、該当する新機能の認知度ポイントを「利用回数」＋１だけポイントアップする（ステップＳ４）。
【００５０】
次に、強調制御部１１ａは、新機能が利用されたか否かを判断する（ステップＳ５）。
【００５１】
新機能が利用された場合（ステップＳ５のＹ）、強調制御部１１ａは、該当する新機能の利用回数を＋１だけカウントアップする。
【００５２】
ステップＳ５において新機能が利用されていないと判断された場合（ステップＳ５のＮ）またはステップＳ６の次に、強調制御部１１ａは、認知度ポイントテーブル１７ａに記録された各新機能の認知度ポイントに応じて、新機能を呼び出すＵＩ部品の強調度合いを調整する（ステップＳ７）。調整後、強調制御部１１ａは、ステップＳ２に戻り処理を繰り返す。
【００５３】
以上、情報処理装置１０における強調表示調整の処理の流れについて説明した。
【００５４】
［効果］
次に、本発明の情報処理装置により得られる効果の例を挙げる。
【００５５】
（１）本発明による新機能を呼び出すＵＩ部品の強調表示は恒久的なものではなく、ユーザーへの認知が行われた時点で強調表示を止め、目障り感を無くすことが出来る。
【００５６】
（２）よく利用される新機能については、認知度の向上がより速く行われていると判断し、強調表示をより早期に終了させることが出来る。
【００５７】
（３）強調表示によりユーザーへの認知度向上を促進しても利用されない新機能を呼び出すＵＩ部品についても、表示される度に表示の強調度合いを減じるので、強調表示の目障り感を減らすことが出来る。
【００５８】
［補足事項］
以上のように、本発明の一実施形態に係る情報処理装置１０は、自装置１０に新しく追加された新機能を呼び出すＵＩ部品が強調表示される表示部１６と、前記ＵＩ部品が表示された回数に応じて定まる認知度ポイントが前記新機能ごとの組として記録される認知度ポイントテーブル１７ａと、前記ＵＩ部品が表示される度に、前記ＵＩ部品に対応する前記認知度ポイントを特定の値だけ増加させ、前記認知度ポイントに応じて前記ＵＩ部品の強調表示度合いを減じる強調制御部１１ａとを備える。
【００５９】
その他、本発明は、上述の実施形態にのみ限定されるものではなく、本発明の要旨を逸脱しない範囲内において種々変更を加え得ることは勿論である。
【符号の説明】
【００６０】
１０  …  情報処理装置
１１  …  ＣＰＵ
１１ａ…  強調制御部
１２  …  ＲＯＭ
１３  …  ＲＡＭ
１４  …  操作入力部
１５  …  通信部
１６  …  表示部
１７  …  記憶部
１７ａ…  認知度ポイントテーブル
１８  …  バス
【図２】
2017062649.tif 000003
【図３】
2017062649.tif 000004
【図４】
2017062649.tif 000005
【図５】
2017062649.tif 000006
【図６】
2017062649.tif 000007
【図７】
2017062649.tif 000008
【図１】
2017062649.tif 000009